(57)【特許請求の範囲】
【請求項１】
化学物質を拡散する装置であって、
チャンバ内に配置された空気に化学物質を拡散するよう構成された拡散部材を有するチャンバであって、前記チャンバが前記チャンバの外から空気を受け入れるよう構成された吸気口、および前記チャンバ内から空気を吐き出すよう構成された排気口を連通している、チャンバを備え、
前記チャンバが前記拡散部材を囲むよう構成されたハウジングによって画定され、
前記拡散部材が、前記化学物質を収容するよう構成されるとともに装置の下部に配置された容器と液体連通し、
前記容器は、前記容器から前記チャンバ内を通りハウジングの上部に配置された開口部へ延在する導管を含む、装置。
【請求項２】
前記吸気口から前記チャンバを通り、前記排気口を通り吐き出されるよう空気を動かすように構成されたファンをさらに備える、請求項１に記載の装置。
【請求項３】
電源から前記装置へ電力を供給するよう構成された電力導管をさらに含み、前記電力導管が前記ハウジングに対して回転可能である、請求項１〜２のいずれか一項に記載の装置。
【請求項４】
前記電力導管が前記電源に接続されるよう構成された取外可能な電気プラグ部材を含む、請求項３に記載の装置。
【請求項５】
前記電力導管が前記ハウジングに対して回転する場合に、前記電力導管が、前記電力導管および前記装置の間で連続的な電気接続を形成するよう構成された回転可能な回路部材を含む、請求項３または４に記載の装置。
【請求項６】
前記電力導管が前記ハウジングに対して回転する場合に、前記回転可能な回路部材が、前記電力導管および前記装置の間の連続的な電気接続を形成するよう構成された円形導電トラックを有するプリント回路基板である、請求項５に記載の装置。
【請求項７】
前記拡散部材がセラミックマトリックスを有する触媒バーナーであり、前記セラミックマトリックスが電気発熱体によって加熱されるよう構成されている、請求項１〜６のいずれか一項に記載の装置。
【請求項８】
前記触媒バーナーが５０℃〜８０℃の温度まで加熱される、請求項７に記載の装置。
【請求項９】
前記電力導管が前記ハウジング回りの前記電力導管の回転を制限するよう構成された戻り止めを含む、請求項３〜８のいずれか一項に記載の装置。
【請求項１０】
前記電源が商用電力供給ソケットである、請求項３〜９のいずれか一項に記載の装置。
【請求項１１】
ファンの速度を変えるために、前記ファンがコントローラによって制御される、請求項４〜１０のいずれか一項に記載の装置。
【請求項１２】
前記化学物質がアロマテラピー化合物である、請求項１〜１１のいずれか一項に記載の装置。
【請求項１３】
前記容器が前記ハウジングと摺動可能に係合または分離するように構成されている、請求項１〜１２のいずれか一項に記載の装置。
【発明の詳細な説明】
【技術分野】
【０００１】
本発明は、特に化学物質を拡散する装置および方法、特に、しかし排他的ではなく、定められた領域空間に芳香物質を拡散するよう構成された装置に関する。
【背景技術】
【０００２】
事業者、環境の専門家、建築設計者およびイベント主催を含む様々な人々は、定められた空間内の空気の質を制御する必要性を認識している。空気の質を制御することにより、しばしば空間の居住性が改善され、かつその空間で過ごす人の時間の質の改善を補助することができる。空間の誘引効果を増すために、このような改善が例えば家庭、学校、および様々な企業で行われてきた。
【０００３】
空間の空気の質を制御する１つの例示的な方法は、化合物を領域空間に拡散することである。時には、この化合物は、アロマテラピー化合物としての芳香化合物とすることができ、それは、周囲環境に誘引性、かつ治療的な香りを提供する。香りをある領域に拡散することにより、事業者およびイベント主催者は、特定の領域の誘引効果および快適性を改善することができる。例として、小売店は、買い物客の快適性を高めるように特定の店舗空間に彼らが望むイメージに一致する香りを提供することができ、ホテルオーナーはまた、常連客のための空間のもてなし、および快適性を改善するように香りを使用することができる。
【発明の概要】
【発明が解決しようとする課題】
【０００４】
芳香物質を空気に分配する方法があるが、香りの分配は、トイレ、キッチン、リビングルーム、または小さい空間ポケットなどの小さく密閉された空間に制限されることが多い。ホテルのロビー、コンサートホールまたは鉄道の駅などの独自の空気調和システムを有する、またはユーザの行き来が多い、または外部要素に常にさらされる大きい空間ポケットに対しては、これらの小さいスケールの芳香分配方法では、効果的に作用することができず、空気の質の改善における有効性が低減される。
【課題を解決するための手段】
【０００５】
本発明の第１態様によると、化学物質を拡散する装置が提供され、該装置は、チャンバ内に配置された空気に化学物質を拡散するよう構成された拡散部材を有するチャンバを備え、チャンバは、チャンバの外部から空気を受け入れるよう構成された吸気口およびチャンバ内から空気を吐き出すよう構成された排気口を連通する。
【０００６】
第１態様の実施形態において、吸気口および排気口は、吸気口から排気口の外へ流れる空気がチャンバの拡散部材を実質的に通るように配置される。
【０００７】
第１態様の実施形態において、チャンバは、拡散部材を囲むように構成されたハウジングによって画定される。
【０００８】
第１態様の実施形態において、排気口は、基部の軸に対して斜めに空気を吐き出すように構成されている。第１態様の実施形態において、角度は、鋭角である。
【０００９】
第１態様の実施形態において、装置は、吸気口からチャンバを通り、排気口から吐き出されるように空気を動かすよう構成されたファンをさらに備える。
【００１０】
第１態様の実施形態において、拡散部材は、化学物質を収容するよう構成された容器と液体連通している。
【００１１】
第１態様の実施形態において、拡散部材および容器の間の液体連通は、芯によって形成されている。
【００１２】
第１態様の実施形態において、拡散部材は、加熱される。
【００１３】
第１態様の実施形態において、拡散部材は、５０℃〜８０℃の温度に加熱される。
【００１４】
第１態様の実施形態において、容器は、容器からハウジングに配置された開口部に延在する導管を含む。
【００１５】
第１態様の実施形態において、ハウジングに配置された開口部は、ハウジングに枢動可能に接続されたプラグを含み、プラグは、容器を密封するために、導管に枢動可能に挿入されるように構成されている。
【００１６】
第１態様の実施形態において、ファンは、ファンの速度を変化させるためにコントローラによって制御される。
【００１７】
第１態様の実施形態において、化学物質は、アロマテラピー化合物である。
【００１８】
本発明の第２態様によると、第１態様の実施形態の任意の１つによる装置を使用することによって領域空間に香りを拡散する方法が提供される。
【００１９】
本発明の第３態様によると、化学物質を拡散する装置が提供され、該装置は、チャンバ内に配置された空気に化学物質を拡散するよう構成された拡散部材を有するチャンバを備え、チャンバは、チャンバの外部から空気を受け入れるよう構成された吸気口、およびチャンバ内から空気を吐き出すよう構成された排気口を連通する。
【００２０】
第３態様の実施形態において、チャンバは、拡散部材を囲むよう構成されたハウジングによって画定される。
【００２１】
第３態様の実施形態において、装置は、空気を吸気口から、チャンバを通り、排気口から吐き出されるよう動かすように構成されたファンをさらに備える。
【００２２】
第３態様の実施形態において、拡散部材は、化学物質を収容するよう構成された容器と液体連通する。
【００２３】
第３態様の実施形態において、装置は、電源から装置へ電力を供給するよう構成された電力導管をさらに含み、電力導管は、ハウジングに対して回転可能である。
【００２４】
第３態様の実施形態において、電力導管は、電源に接続されるよう構成された取外可能な電気プラグ部材を含む。
【００２５】
第３態様の実施形態において、電力導管は、電力導管がハウジングに対して回転する際に電力導管および装置の間に連続的な電気接続を形成するよう構成された回転可能な回路部材を含む。
【００２６】
第３態様の実施形態において、回転可能な回路部材は、電力導管がハウジングに対して回転する際に電力導管および装置の間に連続的な電気接続を形成するよう構成された円形導体トラックを有するプリント回路基板である。
【００２７】
第３態様の実施形態において、拡散部材は、セラミックマトリックスを有する触媒バーナーであり、セラミックマトリックスは、電気発熱体によって加熱されるよう構成されている。
【００２８】
第３態様の実施形態において、触媒バーナーは、５０℃〜８０℃の温度に加熱される。
【００２９】
第３態様の実施形態において、電力導管は、ハウジング回りの電力導管の回転を制限するよう構成された戻り止めを含む。
【００３０】
第３態様の実施形態において、電源は、商用電源供給ソケットである。
【００３１】
第３態様の実施形態において、ファンは、ファンの速度を変化させるためにコントローラによって制御される。
【００３２】
第３態様の実施形態において、化学物質は、アロマテラピー化合物である。
【００３３】
第３態様の実施形態において、容器は、ハウジングと摺動可能に係合、または分離するよう構成されている。
【００３４】
本発明の実施形態は、一例として、添付図面を参照して以下に説明される。
【図面の簡単な説明】
【００３５】
【図１】本発明の一実施形態による化学物質を拡散する装置の前後の斜視図である。
【図２】図１の装置の上面図、側面図、正面図、および背面図である。
【図３】図１の装置の前後断面図である。
【図４】図１の装置の分解組立図である。
【図５】図１の装置の側断面図である。
【図６】本発明の他の実施形態による化学物質を拡散する装置の前後斜視図である。
【図７】図６の装置の上面図、側面図、正面図、および背面図である。
【図８】図６の装置の前後断面図である。
【図９】図６の装置の分解組立図である。
【図１０】図６の装置の側断面図である。
【図１１】本発明の他の実施形態による化学物質を拡散する装置の上および後からの斜視図である。
【図１２】図１１による化学物質を拡散する装置の上面図、側面図、下面図、および正面図である。
【図１３】図１１の化学物質を拡散する装置の分解斜視図である。
【発明を実施するための形態】
【００３６】
図１および図２を参照すると、チャンバ内に配置された空気に化学物質を拡散するよう構成された拡散部材を有するチャンバを備え、チャンバがチャンバの外部から空気を受け入れるよう構成された吸気口およびチャンバ内から空気を吐き出すよう構成された排気口を連通する、化学物質を拡散する装置の実施形態が示されている。
【００３７】
この実施形態において、化学物質を拡散する装置１００は、吸気口部１０６および排気口部１０８を有するチャンバ１０４を収容するよう構成されたハウジング１０２を含む。作動中に装置が化学物質を周囲空間に拡散するよう構成されるように、床、棚または任意の他の面に支持されることができるように、装置が基部１１０の上に配置されるよう構成されている。
【００３８】
作動中、装置１００は、空間のテーブル、床または棚などの面に配置され、装置１００内に収容された化学物質を拡散するよう連続的に動作することができる。作動中、装置１００は、ハウジング１０２内に動作ファン２０２を有し、吸気開孔１０６を通じて周囲空間から装置１００のチャンバ１０４内へ空気を動かす。吸気開孔１０６を通り流れる空気は、チャンバ１０４内の拡散部材２０４を通り、今度は装置内に収容された化学物質をチャンバ１０４内の空気へ拡散する。チャンバ１０４内に収容されたこの空気は、次に拡散された化学物質と混合されて、排気開孔１０８を介してチャンバ１０４から吐き出される。装置１００の動作の結果として、装置１００に収容された化学物質は、装置１００の周囲空気に拡散される。
【００３９】
好ましくは、図１および図２に示すように、排気口１０８は、ハウジング１０２内のチャンバ１０４から吐き出される空気が横および上方に向くことができるように基部から斜めに配置されている（これは、図２および図５の側面図により明りょうに示されている）。この実施形態は、芳香空気、または装置１００によって分配される拡散化学物質を有する空気と周囲大気との混合を最大化するように、装置１００の排気口１０８を出る芳香空気が装置１００から離れて略上方向に分配され得るという点で好都合である。
【００４０】
一例の実施形態において、装置１００によって拡散される化学物質は、水、医療用化合物、殺菌剤、アロマテラピーに使用される芳香化合物、または香料化合物または任意の他の化学物質とすることができる。化学物質が芳香化合物または香料物質を含むこれらの例において、装置１００は、周囲空間へのこれらの芳香化合物のディフューザーとして効果的に動作し、周囲空間へ香りを提供する。
【００４１】
図３および図４を参照すると、本発明の一実施形態による装置１００の内部部品が示されている。ここに示されるように、装置のハウジング１０２内のチャンバ１０４は、装置の吸気口１０６および排気口１０８の間に配置され、ファン２０２によって動かされる空気は、吸気口１０６からチャンバ１０４を通り流れ、排気口１０８を介して出ることができる。
【００４２】
この実施形態においては、チャンバ１０４はチャンバ１０４を通り流れる空気の経路に好ましく配置された拡散部材２０４を有しており、チャンバ１０４を通過するかなりの部分の空気は、拡散部材２０４の近く、または隣りを通ることができる。これは、拡散部材２０４によってチャンバ１０４内の空気に拡散される化学物質の分配を拡散部材２０４が増やすという点で好都合である。
【００４３】
これらの図に示すように、拡散部材２０４は、装置１００によって拡散される化学物質を収容するよう構成された容器２０６と液体連通する。一例において、容器２０６内に収容された化学物質を拡散部材２０４に送るために、毛管作用によって拡散部材２０４に化学物質を送るように、綿、またはポリエステル、または任意の他の適切な材料から作られた芯２１２を使用することができる。他の例において、化学物質を送るために機械、または電気のポンプを使用することができる。
【００４４】
一旦、化学物質が拡散部材２０４に送られると、拡散部材２０４は、化学物質をチャンバ１０４内の空気に拡散するよう構成されている。好ましくは、拡散部材２０４は、拡散部材２０４の表面積を増やす穴として作用する多数の開口部を有する石またはセラミック材料から作られており、より多くの化学物質を拡散部材２０４を囲む空気にさらすことができる。拡散部材２０４はまた、拡散部材２０４の中、上、または隣接して配置された電気ヒーターなどの熱源によって加熱されることができる。拡散部材を加熱することによって、拡散部材２０４に送られる化学物質がより速くチャンバ１０４内の空気に蒸発することができるため、化学物質の拡散が早まる。
【００４５】
好ましくは、拡散部材２０４の温度はまた、プリント回路基板（ＰＣＢ）３０２に配置された電子論理回路の形で実現され得るコントローラ回路によって制御することができる。コントローラ回路は、装置１００に作動機能を提供することができ、かつ拡散部材２０４の温度を制御するように拡散部材２０４のヒーターを制御することができる。いくつかの例において、拡散部材２０４を５０℃〜９０℃の範囲の温度まで加熱することができる。拡散部材２０４をこの温度まで加熱する実験は、あるタイプの化学物質の拡散に有効であることを示している。そのうえ、拡散部材２０４をこの温度範囲まで加熱することによって、空気、または化学物質中の病原菌が効果的に破壊される。したがって、装置１００はまた殺菌機能を提供することができる。これは特に、装置１００によって拡散される化学化合物がアルコール化合物などの防腐性物質を含む場合である。
【００４６】
この特定の実施形態において、装置１００のチャンバ１０４を通り空気を推し進めるように、ファン２０２は、排気口１０８に隣接して配置される。当業者が理解するように、ファン２０２を装置１００の任意の場所に配置することができる。しかし、ファン２０２を排気口１０８に隣接して配置することによって、ファン２０２は、清掃または整備のために排気口１０８から容易に取り外すことができる。これらの実施形態において、清掃または整備のために排気口１０８全体およびファン２０２を装置１００から取り外すことができるように、ファン２０２は、電源またはコントローラに取外可能に接続することができる。この例示的な実施形態に示すように、ファン２０２は、気流の方向も調整可能とするように、複数の調整可能なスラットを有するルーバー部材３１０に接続されている。他の例において、ルーバー部材３１０は回転可能であるため、排気口１０８から外へ任意の方向に気流を調整することができる。
【００４７】
いくつかの発展した実施形態において、装置１００はまた、複数のセンサおよびコントローラ３０２で実行される制御論理を含むことができ、装置１００に追加機能を提供する。拡散部材２０４の温度制御とは別にコントローラ基板３０２はまた、化学物質を拡散するために必要な気流を増すために装置１００のファン２０２の速度を制御することができる。他の例において、所定の、または望ましい拡散レベルに適合させるために、容器２０６内に残っている化学物質のレベルを検出するように化学物質を含む容器２０６がまたセンサを含むとともに、チャンバ１０４内の化学物質成分の拡散レベルを検出するようにチャンバ１０４内のセンサをコントローラ３０２に接続することができる。他の例においては、装置１００の外の、またはハウジング１０２の外に配置されたセンサが、周囲空気内の化学物質のレベルを検出することができ、かつ化学物質の拡散レベルを増やすまたは減らすためにこの情報をコントローラ３０２に伝えることができる。
【００４８】
さらに発展した実施形態においては、装置は、香りを特定の領域に拡散するクラスタまたはネットワークとして動作するように２つ以上の装置が互いに、または中央コントローラ、またはサーバーと通信することが可能なネットワークまたは通信ポートを含むことができる。このような動作例は、ホテルのロビーなどの広い領域とすることができ、そこではホテルのロビーまたは広い空間内に様々な装置１００を配置することができ、かつ動作中に化学物質の適切な拡散を確実にするために個々を、または中心的な装置を制御することができる。
【００４９】
図３および図４に示すように、化学物質のための容器またはタンクとして作用する容器２０６は、ハウジング１０２の開口部２１０へ延在するよう構成された導管２０８を含むことができる。これは、容器２０６にアクセスするためにハウジング１０２を取り外す必要がなく、したがって容器２０６に補充するために必要な時間と労力を最小にするという点で好都合である。図５に示すように、導管２０８は、ピストン形プラグ２１４によって密封され、ピストン形プラグは、導管１０８内に挿入されて、容器２０６を密封する。ピストン形プラグ２１４はまた、開口部２１０に枢動可能に接続されており、開口部２１０が上方へ枢動すると、ピストン形プラグ２１４が導管２０８から持ち上げられて容器２０６にアクセスすることができる。容器２０６を密封するために、ピストン形プラグ２１４は、開口部２１０の枢動動作によって導管２０８に挿入されるとともに導管２０８内に押下される。
【００５０】
好ましくは、装置１００はまた容器２０６の下に配置された金属、石またはセラミックなどのより重い材料から作られている重み付き基部１１０を含む。基部１１０は、装置１００へ安定性を提供し、かつ容器２０６が空に近い場合に装置１００がひっくり返される危険性を最小にする。この例に示すように、排気口１０８がまた基部１１０から斜めに、つまり、基部１１０から延在する垂直軸から斜めに配置される。好ましくは、角度は、基部１１０から約４５°であり、したがってチャンバ１０４内の空気を略横および上方に吐き出すことができるが、それでもなお重み付き基部１１０は、動作中の面における装置１００の安定を補助する。
【００５１】
この例示的な実施形態において、装置１００は、装置１００の基部１１０に隣接して配置された電力ポート４０２に接続された外部電源から電力を得る。当業者が理解するように、電力ポート４０２は、装置１００の任意の場所に配置することができる。実施形態のいくつかの他の例においては、装置１００はまた、基部１１０に隣接して配置された、または重み付き基部１１０自体に置き換えられたバッテリーまたは充電式バッテリーなどによって内部で電力を得ることができる。他の実施形態においては、動作部品または装置１００の全ての部品に電力を提供するためにソーラーパネルもまたハウジング１０２に含むことができる。
【００５２】
装置１００の実施形態は、より有効な方法で、特にホールまたはロビーなどの広い空間において化学物質を拡散するために装置１００を使用することができるという点で好都合である。制御された加熱拡散部材およびファン部材を用いることで、および吸気口および排気口の間の気流の近くまたは隣接して配置された拡散部材の配置により、アロマテラピー化合物などの化学物質の拡散をより効果的に完了させることができる。さらに、加熱拡散部材がまた空気中にある病原菌の破壊を補助するため、装置はまた洗浄または殺菌効果を提供し、それによりその動作環境における快適性を増すことができる。
【００５３】
図６〜図１０を参照すると、本発明の他の実施形態による装置２００が示されている。ここに示されるように、装置２００は、吸気口２２２および排気口２２４を有するハウジング２２０を含む。装置２００は、吸気口２２２から、吸気口２２２および排気口２２４の間のチャンバに配置された拡散部材２３２を通り空気を動かすように構成されたファン２２６を有し、拡散される物質と空気を混合し、さらに排気口２２４を介して周囲に吐き出す。
【００５４】
この実施形態においては、装置２００はまた装置２００の下部に容器２３０を含み、容器は、ハウジング上の押しボタンとして構成された開口部２３６へ延在する導管２３４を有し、容器に化学物質を補充するためのアクセス可能な開口部を提供する。装置は、容器２３０の下に配置された基部２４０によって支持される。電力ポート２６０は、外部電源に接続するために、基部２４０に隣接して配置される。電力ポートはまた、装置２００のどこにでも配置することができる。
【００５５】
図８〜図１０に示すように、ファン２２６は、ファンを装置に係合する可動ジョイントを提供するように、回転可能なボールベアリング部品２２８に接続される。したがって、この例において、ファン２２６は、移動可能であり、これにより装置２００から流れる空気の方向が調整可能となる。これは、調整可能なファンにより周囲環境へ排気口２２４から出る芳香空気のより良好な分配が可能であるため好都合である。
【００５６】
この実施形態において、吸気口２２２は、排気口２２４のすぐ後ろに配置され、かつ拡散部材２３２は、チャンバ内に配置されるとともに、吸気口２２２および排気口２２４の間に配置される。この配置により、ファン２２６によって動かされる空気は、吸気口２２２から直接流れ、拡散部材２３２を通過し、排気口２２４を介して出ることができる。これは、この配置により空気の大部分が拡散部材２３２を通過することができ、排気口２２４を介して出る前に空気への化学物質のより良好な拡散が可能となるという点で好都合である。
【００５７】
好ましくは、容器２３０の開口部２２６は、ハウジング２２０の押しボタンとして構成されている。開口部２２６は、バネ２３８を備えており、ボタンを押下すると、化学物質を容器２３０に再充填するための導管２３４に対して開口する。これは、配置が導管を開くために必要な力を最小に、動作を容易にするという点で好都合である。
【００５８】
図１１、図１２および図１３を参照すると、化学物質を拡散する装置の別の代替実施形態が示されており、該装置は、チャンバ内に配置された空気に化学物質を拡散するよう構成された拡散部材を有するチャンバを備え、チャンバは、チャンバの外から空気を受け入れるよう構成された吸気口、およびチャンバ内から空気を吐き出すよう構成された排気口を連通する。
【００５９】
この代替の実施形態において、化学物質を拡散する装置１１００は、チャンバ１１０４を形成するよう構成されたハウジング１１０２を含み、チャンバ１１０４内の空気へ化学物質１１０６を拡散することができる。一旦、化学物質１１０６がチャンバ１１０４内の空気に拡散されると、空気は、チャンバ１１０４から装置１１００の周りの周囲環境へ吐き出される。拡散装置のいくつかの前述の実施形態に記載されるように、装置１１０２によって拡散される化学物質１１０６は、空気中へ拡散され、特定の領域または空間に分配され得るアロマテラピー化合物、香料、芳香物質、殺菌剤、または任意の他の適切な化学物質とすることができる。
【００６０】
この例において、ハウジング１１０２は、ハウジング１１０２内に形成されたチャンバ１１０４内で動作するよう構成された拡散部材１１０８を含む。拡散部材１１０８は、化学物質容器１１１０内に収容された化学物質１１０６を蒸発させることによって化学物質１１０６を拡散するよう構成されている。拡散部材１１０８は好ましくは、電子的に加熱されたセラミック石であり、容器１１１０から化学物質１１０６が送られ、拡散部材１１０８によって拡散されることができる芯１１１２を介してリザーバーまたはタンク１１１０に接続される。
【００６１】
好ましくは、チャンバ１１０４内に拡散するために化学物質１１０６を蒸発するように拡散部材１１０８の加熱要素１１０８Ｈに電流が提供されとともに、チャンバ１１０４の外からチャンバ１１０４内へ空気を引き込むように電気モーターによって駆動されるファン１１１４が出口１１１６の近く、またはチャンバ１１０４内の任意の場所に配置される。次にチャンバ１１０４内に拡散された化学物質１１０６と空気が混合された後で、ファン１１１４は、チャンバ１１０４内から空気を吐き出す。この装置１１１０により得られた効果は、ファンによって部屋の領域または空間の周りにリザーバーまたは容器１１１０内に収容された化学物質１１０６を分配することができるということである。
【００６２】
この特定の実施形態において、装置１１００は、取外可能な電気プラグ部材１３０２を介して商用電力ソケットなどの電源に直接接続されるように構成されている。この取外可能な電気プラグ部材は、図１１および図１２に図示していないが、図１３に示されている。取外可能な電気プラグ部材１３０２により、任意の追加的な電力供給、変圧器、またはケーブルを必要とせずに、この例示的な実施形態の装置１１１０において壁ソケットに直接プラグを差し込むことができる。この例は、大きな装置を置くのに不便であるトイレまたは保管領域などの限られた空間である領域において、化学物質１１０６を拡散するように装置を簡単に電力ソケットにつなぐことができると言う点で好都合である。
【００６３】
好ましくは、電気プラグ部材１３０２は、この例示的な実施形態に示すように摺動スロット構造を介して装置１１００に取外可能に係合される。電気プラグ部材１３０２が取外可能に係合されることにより、単純に電気プラグ部材を取り外し、他の管轄に適した代替のプラグに交換することによって異なる国の異なるソケット構造のための様々なプラグを使用することができる。これは、取外可能なプラグ部材１３０２を特定の国の商用電力ソケットに適したものに単純に変更することによって商用電力ソケットが異なる多数の管轄内で単独の装置１１００を作動させることができるという点で好都合である。
【００６４】
この実施形態において、化学物質容器１１１０が実質的に装置１１００の下部を向く状態で、装置１１００が常に垂直配置で収容され、作動し、かつ使用されることが好ましい。これは、容器１１１０が液体状の化学物質１１０６を収容することができるためである。容器１１１０内の化学物質１１０６が容器１１１０からハウジング１１０２内に漏れる場合があるため、動作中の装置は、商用電力ソケットに上下逆に挿入することができない。これは、かなりの部分の化学物質１１０６がチャンバ１１０４を通じて漏れ、無駄になる、または失われる原因となり得る。
【００６５】
この例に示すように、装置１１００が正しい方法で確実に作動することができるように、電気プラグ部材は、電気プラグ部材１３０２が装置１１１０回りに回転したとしても、商用電力ソケットなどの電源から電気エネルギーを装置１１００に送ることができる回転可能な電力導管１３０４に接続されるように構成されている。回転可能な電力導管１３０４の機構は、どの方向に回転しても連続的な導電性を確実にする回転可能な回路基板１３０６を含むことができる。この装置の例は、図１３の分解図を参照してさらに説明される。
【００６６】
この実施形態において、回転可能な電力導管１３０４により、装置１１００がどの角度で電気プラグ部材１３０２回りに回転しても電気エネルギーが装置１１００に確実に連続的に送られるとともに、正しい位置を保つことができるように、装置１１００は、電気プラグ部材１３０２回りに回転することができる。これは、電力ソケットが任意の特定の向きで取り付けられるかどうかの共通性がない特定の状況において、容器１１１０内に収容された化学物質１１０６が装置１１００から漏れないようにエンドユーザが正しい位置に装置１１００を回転させることができるという点において特に好都合である。
【００６７】
図１３を参照すると、図１１および図１２の装置の分解斜視図が示されている。この実施形態において、電気プラグ部材１３０２は、回転可能な電力導管構成１３０４を介して装置１１１０に接続され、該電力導管構成は、プラグ部材１３０２が回転する軸を提供する回転軸を有する支持ボード１３０８と、円形導電トラック１３０６Ｃを有する回転回路基板１３０６とを含む。円形導電トラック１３０６Ｃを含むことによって、回路配置は、ハウジング１１０２に取り付けられた固定の電気導管ボード１３１０と連続的に電気接続したまま任意の方向に３６０度回転することができる。この例に示すように、固定の電気導管ボード１３１０は、２つの弾性の電気的に接続されたピン１３１０Ｐを含み、該ピンは、回転する回路基板１３０６の円形導電トラック１３０６Ｃ（および／または回転する回路基板の軸）に弾性的に当接して、プラグ部材１３０２が回転する場合にプラグ部材１３０２から装置１１００自体に電気エネルギーを連続的に送ることができる。
【００６８】
図１３の例に示すように、プラグ部材１３０２が電気ケーブル（図示せず）によって円板状の回転回路基板１３０６に電気的に接続されるため、電気プラグ部材が支持ボード１３０８によって画定された軸回りに回転する場合に、円板状の回路基板１３０８がまたプラグ部材１３０２と共に回転する。円板状の回転可能な回路基板１３０６は、弾性ピン１３１０Ｐとの一定の電気接続を維持する１または複数の環状導電トラック１３０６Ｃを含むことができる。プラグ部材１３０２が固定のプリント回路基板１３１０に係合される弾性ピン１３１０Ｐと一定に電気接続するため、電気エネルギーをプラグ部材１３０２から円板状の固定配線ボード１３１０に送ることが可能である。そして、電力変圧器１３１４を介して制御回路１３１２に電力が供給される。
【００６９】
一旦、制御回路１３１２および変圧器１３１４に電力が供給されると、容器１１１０内に収容される化学物質を拡散するように、適切な電圧の電力がファンユニット１１１４および加熱要素１１０８Ｈに供給される。制御回路１３１２に電力が供給され、例えばファン１１１４の速度または拡散部材１１０８の加熱要素１１０８Ｈの熱を制御するため、またはスイッチ１３１６を介した電源のオンオフなどの使用者の入力に反応するため、またはタイマーまたは所望の動作速度または温度で動作するための処理および制御機能が提供される。
【００７０】
この実施形態において、容器は、拡散される化学物質を収容するように構成され、かつスライド可能部材１３１８および１３１９を介してハウジング１１０２へ装置１１１０に摺動可能に係合、および取り外されるように構成されている。この例において、ハウジング１１０２は、チャンバ１１０４内に拡散部材１１０８として作動する触媒バーナーを有する。触媒バーナーはまたセラミックマトリックス内に配置されたプラチナなどの金属物質を有することができ、電気発熱体１１０８Ｈによって加熱されると、セラミックマトリックスを通じて熱が均等に分配されるとともに、金属物質によって提供された触媒機能がまた化学物質の蒸発を補助する。好ましくは、容器１１１０内の化学物質は拡散部材１１０８に接続された芯１３２０を通り毛管作用によって送られ、その後ハウジング１１０２によって形成されたチャンバ内に拡散される。そして、グリルカバー１１１６を通りハウジングから吐き出されるように、ハウジング内の開孔１２００Ｖおよび開口部１２００により、ファン１１１４によって空気が送り込まれる。
【００７１】
またこの実施形態に示すように、ファン１１１４はまたクッション付きＯリング１１１９を介してチャンバ内に固定されることができ、該Ｏリングは、ファン１１１４の回転からの振動の低減を補助する。これは、この構成が装置の使用中に発生する騒音および振動を低減するという点で好都合である。
【００７２】
またこの例示的な実施形態に示すように、回転可能な電力導管１３０４がギア１３０７の歯と嵌合する戻り止め２８と相互作用する回転ギア１３０７を含んでいる。戻り止め１３０５は、ギアの歯との相互作用を向上させるようにバネ仕掛けとすることができる。このような構成を含むことによって、戻り止め１３０５は、電気プラグ部材１３０２の回転移動を制限することができ、回転可能な電力導管１３０４が回転する場合に、
使用者は、装置１１００を所望の特定の角度に回転させることができる。
【００７３】
この代替の実施形態は、化学物質を拡散する壁取付用装置１１００を提供するため、余分な空間を占める追加的な電気ケーブルまたは変圧器の必要性を最小にするという点で好都合である。さらに、この装置１１００の特定の実施形態は、動作中に装置が正しい方法を確実に保つために異なる形状の電気ソケットを使用することができるような回転可能な電力導管１３０４を含む。
【００７４】
特定の実施形態に示すように、広く記載される本発明の精神または技術範囲から逸脱することなく本発明に対して多数の変形および／または改良を行うことができることが当業者には理解されるだろう。したがって本実施形態は、例示として、かつ限定するものではないものとして考慮されるべきである。
【００７５】
本明細書に含まれる従来技術への任意の参照は、特に断らない限り、情報が一般常識であることを認めるものとして解釈されるべきではない。
【符号の説明】
【００７６】
１００  装置
１０２  ハウジング
１０４  チャンバ
１０６  吸気口
１０８  導管
１０８  排気口
１１０  基部
２００  装置
２０２  ファン
２０４  拡散部材
２０６  容器
２０８  導管
２１０  開口部
２１２  芯
２２０  ハウジング
２２２  吸気口
２２４  排気口
２２６  ファン
２２６  開口部
２３０  容器
２３２  拡散部材
２３４  導管
２３６  開口部
３０２  コントローラ基板
４０２  電力ポート
１１００  装置
１１０２  ハウジング
１１０４  チャンバ
１１０８Ｈ  加熱要素
１１０８  拡散部材
１１１０  容器
１１１４  ファン
１３０２  プラグ部材
１３０６Ｃ  円形導電トラック
１３０６  回転回路基板
１３０８  支持ボード
１３１０  固定配線ボード
１３１０Ｐ  弾性ピン
【図１】
0006675323.tif 000002
【図２】
0006675323.tif 000003
【図３】
0006675323.tif 000004
【図４】
0006675323.tif 000005
【図５】
0006675323.tif 000006
【図６】
0006675323.tif 000007
【図７】
0006675323.tif 000008
【図８】
0006675323.tif 000009
【図９】
0006675323.tif 000010
【図１０】
0006675323.tif 000011
【図１１】
0006675323.tif 000012
【図１２】
0006675323.tif 000013
【図１３】
0006675323.tif 000014